(57)【要約】【課題】電気光学パネルを駆動又は制御する表示駆動装置において、コマンドに従って処理の実行中でも、電気光学パネルの劣化等を抑制しながら、より早く次のコマンドの受入れが可能な状態に移行する。【解決手段】この表示駆動装置は、第１のコマンドに従って第１の処理を実行している間に問合せコマンドを受信した場合に、第１の処理を継続して、第１の処理が完了した後に、次のコマンドの受入れが可能な状態を通知するためにステータス信号を更新し、第２のコマンドに従って第２の処理を実行している間に問合せコマンドを受信した場合に、第２の処理を中止すると共に第２の処理に応じた後処理を実行して、後処理が完了した後に、次のコマンドの受入れが可能な状態を通知するためにステータス信号を更新し、問合せコマンドを受信しなかった場合に、処理が完了した後にステータス信号を更新する制御回路を備える。【選択図】図６
2018180462.tif 000002
【特許請求の範囲】
【請求項１】
受信したコマンドに従って電気光学パネルを駆動する表示駆動装置であって、
第１のコマンドに従って第１の処理を実行している間に問合せコマンドを受信した場合に、前記第１の処理を継続して、前記第１の処理が完了した後に、次のコマンドの受入れが可能な状態を通知するためにステータス信号を更新し、
第２のコマンドに従って第２の処理を実行している間に前記問合せコマンドを受信した場合に、前記第２の処理を中止すると共に前記第２の処理に応じた後処理を実行して、前記後処理が完了した後に、次のコマンドの受入れが可能な状態を通知するために前記ステータス信号を更新し、
何れかの処理を実行している間に前記問合せコマンドを受信しなかった場合に、実行中の処理が完了した後に、次のコマンドの受入れが可能な状態を通知するために前記ステータス信号を更新する制御回路を備える表示駆動装置。
【請求項２】
前記制御回路が、第３のコマンドに従って第３の処理を実行している間に前記問合せコマンドを受信した場合に、前記第３の処理を中止して、次のコマンドの受入れが可能な状態を通知するために前記ステータス信号を更新する、請求項１記載の表示駆動装置。
【請求項３】
前記制御回路が、登録された一連のコマンドを表すマクロコマンドに従って一連の処理を順次実行している間に問合せコマンドを受信した場合に、実行中の処理の内容に応じて、実行中の処理を継続又は中止し、又は、実行中の処理に応じた後処理を実行して、次の処理を実行することなく、次のコマンドの受入れが可能な状態を通知するためにステータス信号を更新する、請求項１又は２記載の表示駆動装置。
【請求項４】
ホストＣＰＵから受信したコマンドに従って電気光学パネルを駆動する表示駆動装置であって、
第１のコマンドに従って第１の処理を実行している間に問合せコマンドを受信した場合に、前記第１の処理を継続して、前記第１の処理が完了した後に、次のコマンドの受入れが可能な状態を前記ホストＣＰＵに通知し、
第２のコマンドに従って第２の処理を実行している間に前記問合せコマンドを受信した場合に、前記第２の処理を中止し、前記第２の処理に応じた後処理を実行して、前記後処理が完了した後に、次のコマンドの受入れが可能な状態を前記ホストＣＰＵに通知し、
何れかの処理を実行している間に前記問合せコマンドを受信しなかった場合に、実行中の処理が完了した後に、次のコマンドの受入れが可能な状態を前記ホストＣＰＵに通知する、制御回路を備える表示駆動装置。
【請求項５】
供給される電源電圧を昇圧する昇圧回路、及び、昇圧された電源電圧を安定化するレギュレーターを含み、前記電気光学パネルを駆動するための電源電圧を生成する電源回路をさらに備え、
前記第１の処理が、前記昇圧回路又は前記レギュレーターを起動又は停止させる処理を含む、請求項１〜４のいずれか１項記載の表示駆動装置。
【請求項６】
前記電気光学パネルを駆動する駆動回路をさらに備え、
前記第２の処理が、前記電気光学パネルの画素電極と共通電極との間に新たな画像を表示するための電圧を印加するように前記駆動回路を制御する処理を含む、請求項１〜５のいずれか１項記載の表示駆動装置。
【請求項７】
前記後処理が、前記画素電極及び前記共通電極に所定の電位をそれぞれ印加するように前記駆動回路を制御する処理を含む、請求項６記載の表示駆動装置。
【請求項８】
前記電気光学パネルを駆動する駆動回路をさらに備え、
前記第３の処理が、前記電気光学パネルの画素電極と共通電極との間に画像を保持するための電圧を印加し続けるように前記駆動回路を制御する処理を含む、請求項２記載の表示駆動装置。
【請求項９】
電気光学パネルと、
請求項１〜８のいずれか１項記載の表示駆動装置と、
を備える電気光学装置。
【請求項１０】
請求項９記載の電気光学装置を備える電子機器。
【発明の詳細な説明】
【技術分野】
【０００１】
本発明は、ＥＰＤ（electrophoretic display：電気泳動表示）パネル等の電気光学パネルを駆動又は制御する表示駆動装置に関する。さらに、本発明は、そのような表示駆動装置を用いた電気光学装置及び電子機器等に関する。
【背景技術】
【０００２】
例えば、ＥＰＤパネルにおいては、表面層に設けられた透明な共通電極と下層に設けられた複数の画素電極との間に、電気泳動層が配置されている。電気泳動層は、表示材料として、異なる極性に帯電した白色の電気泳動粒子及び黒色の電気泳動粒子と、それらを分散させる透明なオイル等の分散媒とを収容したマイクロカプセルを含んでいる。画素電極と共通電極との間に電圧を印加して電気泳動粒子に電界をかけることにより、電界の向きに応じて電気泳動粒子が移動して、その画素電極に対応する画素の色が表示される。
【０００３】
ＥＰＤパネルは、電気泳動粒子に一度電界をかけて表示状態にすると、その後は電気泳動粒子に電界をかけなくても、その表示状態を維持するメモリー性（保持性）を有する。ＥＰＤパネルを駆動する際には、ＥＰＤパネルの表示画像が第１の画像から第２の画像になるまでの間に、画素電極と共通電極との間に印加される電圧を所定の駆動波形に従って変化させることにより、表示状態を安定化させることが行われている。
【０００４】
関連する技術として、特許文献１には、駆動波形を設定して電気光学パネルを駆動する集積回路装置が開示されている。この集積回路装置によれば、フェーズ長情報をインデックス番号に対応してタイミング情報格納部に格納することにより、駆動電圧印加期間を設定するためにフェーズ長情報の替りにビット数の少ないインデックス番号をフェーズ毎に波形情報格納部に格納すれば良いので、集積回路装置におけるデータ領域を削減することができる。
【先行技術文献】
【特許文献】
【０００５】
【特許文献１】特開２０１６−０２７３６５号公報（段落００１５−００１７）
【発明の概要】
【発明が解決しようとする課題】
【０００６】
一般に、ＥＰＤパネルの駆動を中途半端な状態で中止すると、画素電極と共通電極との間に印加される電圧のＤＣバランスが崩れて、表示材料の分極や電気分解等の不可逆的な劣化を招くおそれがある。また、次の画像を表示する際に残像が発生するおそれがある。従って、表示すべき画像が設定された後に、所定の駆動波形をＥＰＤパネルに全て出力するまでは、ＥＰＤパネルの駆動を停止することができない。
【０００７】
例えば、ＥＰＤパネルの表示画像が第１の画像から第２の画像になるまでの間に、第２の画像とは異なる第３の画像を表示させる必要が生じたような場合には、第３の画像を表示させるための操作をユーザーが行っても、第２の画像を表示するための駆動が完了するまでは、第３の画像を表示するための駆動を開始することができない。
【０００８】
しかしながら、ＥＰＤパネルの応答速度は、例えば、最大で数百ｍ秒程度と遅いので、ＥＰＤパネルの表示画像が第１の画像から第２の画像になるまでの間に１秒程度を要することもあり、このようなＥＰＤパネルの表示動作は、ユーザーにとって応答性が低いと感じられる。また、保持性の低い表示材料の場合には、ＥＰＤパネルの画素電極と共通電極との間に電圧が印加されなくなると、表示コントラストの低下を招くおそれがある。
【０００９】
そこで、上記の点に鑑み、本発明の第１の目的は、ＥＰＤパネル等の電気光学パネルを駆動又は制御する表示駆動装置において、コマンドに従って処理を実行している間においても、電気光学パネルの劣化、残像の発生、又は、表示コントラストの低下を抑制しながら、より早く次のコマンドの受入れが可能な状態に移行することである。また、本発明の第２の目的は、そのような表示駆動装置を用いた電気光学装置及び電子機器等を提供することである。
【課題を解決するための手段】
【００１０】
以上の課題の少なくとも一部を解決するために、本発明の第１の観点に係る表示駆動装置は、受信したコマンドに従って電気光学パネルを駆動する表示駆動装置であって、第１のコマンドに従って第１の処理を実行している間に問合せコマンドを受信した場合に、第１の処理を継続して、第１の処理が完了した後に、次のコマンドの受入れが可能な状態を通知するためにステータス信号を更新し、第２のコマンドに従って第２の処理を実行している間に問合せコマンドを受信した場合に、第２の処理を中止すると共に第２の処理に応じた後処理を実行して、後処理が完了した後に、次のコマンドの受入れが可能な状態を通知するためにステータス信号を更新し、何れかの処理を実行している間に問合せコマンドを受信しなかった場合に、実行中の処理が完了した後に、次のコマンドの受入れが可能な状態を通知するためにステータス信号を更新する制御回路を備える。
【００１１】
本発明の第１の観点によれば、制御回路が、第２のコマンドに従って第２の処理を実行している間に問合せコマンドを受信した場合に、第２の処理を中止して第２の処理に応じた後処理を実行することにより、電気光学パネルの劣化、残像の発生、又は、表示コントラストの低下を抑制することができる。また、制御回路が、後処理が完了した後に、次のコマンドの受入れが可能な状態を通知するためにステータス信号を更新することにより、より早く次のコマンドの受入れが可能な状態に移行することができる。
【００１２】
さらに、制御回路が、第３のコマンドに従って第３の処理を実行している間に問合せコマンドを受信した場合に、第３の処理を中止して、次のコマンドの受入れが可能な状態を通知するためにステータス信号を更新しても良い。それにより、制御回路は、迅速に次のコマンドの受入れが可能な状態に移行することができる。
【００１３】
また、制御回路が、登録された一連のコマンドを表すマクロコマンドに従って一連の処理を順次実行している間に問合せコマンドを受信した場合に、実行中の処理の内容に応じて、実行中の処理を継続又は中止し、又は、実行中の処理に応じた後処理を実行して、次の処理を実行することなく、次のコマンドの受入れが可能な状態を通知するためにステータス信号を更新しても良い。それにより、制御回路は、マクロコマンドに従って一連の処理を順次実行している間に問合せコマンドを受信した場合でも、より早く次のコマンドの受入れが可能な状態に移行することができる。
【００１４】
本発明の第２の観点に係る表示駆動装置は、ホストＣＰＵから受信したコマンドに従って電気光学パネルを駆動する表示駆動装置であって、第１のコマンドに従って第１の処理を実行している間に問合せコマンドを受信した場合に、第１の処理を継続して、第１の処理が完了した後に、次のコマンドの受入れが可能な状態をホストＣＰＵに通知し、第２のコマンドに従って第２の処理を実行している間に問合せコマンドを受信した場合に、第２の処理を中止し、第２の処理に応じた後処理を実行して、後処理が完了した後に、次のコマンドの受入れが可能な状態をホストＣＰＵに通知し、何れかの処理を実行している間に問合せコマンドを受信しなかった場合に、実行中の処理が完了した後に、次のコマンドの受入れが可能な状態をホストＣＰＵに通知する制御回路を備える。
【００１５】
本発明の第２の観点によれば、制御回路が、第２のコマンドに従って第２の処理を実行している間に問合せコマンドを受信した場合に、第２の処理を中止して第２の処理に応じた後処理を実行することにより、電気光学パネルの劣化、残像の発生、又は、表示コントラストの低下を抑制することができる。また、制御回路が、後処理が完了した後に、次のコマンドの受入れが可能な状態をホストＣＰＵに通知することにより、より早く次のコマンドの受入れが可能な状態に移行することができる。
【００１６】
以上において、表示駆動装置が、供給される電源電圧を昇圧する昇圧回路、及び、昇圧された電源電圧を安定化するレギュレーターを含み、電気光学パネルを駆動するための電源電圧を生成する電源回路をさらに備え、第１の処理が、昇圧回路又はレギュレーターを起動又は停止させる処理を含むようにしても良い。例えば、昇圧動作が完了した後に次のコマンドを受け入れるようにすれば、昇圧電圧が所望の電圧よりも低い電圧のままになったり、昇圧動作の途中で次のコマンドの受入れが可能になったりすることを防止できる。
【００１７】
また、表示駆動装置が、電気光学パネルを駆動する駆動回路をさらに備え、第２の処理が、電気光学パネルの画素電極と共通電極との間に新たな画像を表示するための電圧を印加するように駆動回路を制御する処理を含むようにしても良い。それにより、電気光学パネルの表示画像が第１の画像から第２の画像になるまでの間に、第２の画像とは異なる第３の画像を表示させる必要が生じたような場合において、第２の画像を表示するための駆動を中止して、第３の画像を表示するための駆動を開始することができる。
【００１８】
その場合に、後処理が、画素電極及び共通電極に所定の電位をそれぞれ印加するように駆動回路を制御する処理を含むようにしても良い。それにより、電気光学パネルの駆動を途中で中止しても、画素電極と共通電極との間に印加される電圧のＤＣバランスを整えたり、又は、画素電極と共通電極との間に表示コントラストを低下させないための電圧を印加したりすることができる。
【００１９】
あるいは、表示駆動装置が、電気光学パネルを駆動する駆動回路をさらに備え、第３の処理が、電気光学パネルの画素電極と共通電極との間に画像を保持するための電圧を印加し続けるように駆動回路を制御する処理を含むようにしても良い。それにより、画素電極と共通電極との間に画像を保持するための電圧を印加し続けている場合においても、その処理を中止して、次のコマンドに従って新たな画像を表示することができる。
【００２０】
本発明の第３の観点に係る電気光学装置は、電気光学パネルと、上記いずれかの表示駆動装置とを備える。また、本発明の第４の観点に係る電子機器は、上記の電気光学装置を備える。本発明の第３又は第４の観点によれば、電気光学パネルの表示画像が第１の画像から第２の画像になるまでの間に、第２の画像とは異なる第３の画像を表示させる必要が生じたような場合に、電気光学パネルの劣化、残像の発生、又は、表示コントラストの低下を抑制しながら、より早く第３の画像を表示させることが可能な電気光学装置又は電子機器を提供することができる。
【図面の簡単な説明】
【００２１】
【図１】本発明の一実施形態に係る表示駆動装置の構成例を示すブロック図。
【図２】図１に示す表示駆動装置を用いた電気光学装置の構成例を示す接続図。
【図３】図２に示す画素回路の構成例を示す回路図。
【図４】図２及び図３に示す電気光学装置の駆動方式の例を説明するための波形図。
【図５】図４に示す複数の期間における各部の状態を説明するための図。
【図６】図１に示す表示駆動装置の制御方式の例を説明するための状態遷移図。
【図７】図１に示す表示駆動装置の制御方式の例を説明するためのタイミング図。
【図８】マクロコマンドによる動作例を説明するためのタイミングチャート。
【図９】マクロコマンドによる動作例を説明するためのタイミングチャート。
【図１０】ＥＰＤパネルの表示画像の変化例を示す図。
【図１１】本発明の一実施形態に係る電子機器の構成例を示すブロック図。
【発明を実施するための形態】
【００２２】
以下、本発明の実施形態について、図面を参照しながら詳細に説明する。なお、同一の構成要素には同一の参照符号を付して、重複する説明を省略する。
本発明に係る表示駆動装置（表示ドライバー又は表示コントローラー）は、ＥＰＤパネルやコレステリック液晶パネル等のようにメモリー性（保持性）を有する電気光学パネルを駆動又は制御するのに適している。以下においては、一例として、ＥＰＤパネルを駆動する場合について説明する。
【００２３】
＜表示駆動装置＞
図１は、本発明の一実施形態に係る表示駆動装置の構成例を示すブロック図である。図１に示すように、表示駆動装置１００は、入出力回路１０と、インターフェース（Ｉ／Ｆ）２０と、リセット回路３０と、発振回路４１及び４２と、電源回路５０と、駆動回路６０と、制御回路７０と、ＲＡＭ（ランダムアクセスメモリー）８１及び８２と、キャパシターＣ１〜Ｃ１１とを含んでいる。なお、図１に示す構成要素の一部を省略又は変更しても良いし、あるいは、図１に示す構成要素に他の構成要素を付加しても良い。また、それらの構成要素の内の少なくとも一部は、半導体装置（ＩＣ）に内蔵されても良い。
【００２４】
入出力回路１０は、ホストＣＰＵ（中央演算装置）又はパワーオンリセット回路等の外部回路から信号を入力してインターフェース２０又はリセット回路３０等に供給する。また、入出力回路１０は、インターフェース２０又は駆動回路６０等から供給される信号又は電位をホストＣＰＵ又はＥＰＤパネルに出力する。
【００２５】
インターフェース２０は、入出力回路１０を介してホストＣＰＵとの間で通信を行う。例えば、インターフェース２０は、ＳＰＩ（シリアル・ペリフェラル・インターフェース）を含み、シリアルクロック信号ＳＣＫ、スレーブ入力データＳＤＩ、及び、スレーブセレクト信号ＸＳＳをホストＣＰＵから受信し、スレーブ出力データＳＤＯをホストＣＰＵに送信する。その場合に、ホストＣＰＵは、各種のコマンド及び画像データをスレーブ入力データＳＤＩとして表示駆動装置１００に送信することができる。表示駆動装置１００は、ホストＣＰＵから受信したコマンド及び画像データ等に従ってＥＰＤパネルを駆動する。
【００２６】
リセット回路３０は、例えば、パワーオンリセット回路から供給されるリセット信号ＸＲＥＳに応じて、又は、ホストＣＰＵからインターフェース２０を介して受信するリセットコマンドに応じて、表示駆動装置１００に含まれているロジック回路をリセットして初期化する。
【００２７】
発振回路４１は、例えば、ＣＲ発振回路で構成され、発振動作を行うことにより、電源回路５０において昇圧動作に用いられるクロック信号（例えば、周波数３２ｋＨｚ）を生成する。また、発振回路４２は、例えば、ＣＲ発振回路で構成され、発振動作を行うことにより、駆動回路６０においてＥＰＤパネルを駆動するために用いられるクロック信号（例えば、周波数７００ｋＨｚ）を生成する。
【００２８】
電源回路５０には、電源電位ＶＤＤと、電源電位ＶＤＤよりも低い電源電位ＶＳＳとが供給される。図１には、電源電位ＶＳＳが接地電位（０Ｖ）である場合が示されている。電源回路５０は、供給される電源電圧（ＶＤＤ−ＶＳＳ）を昇圧する昇圧回路（以下においては、「チャージポンプ」ともいう）と、昇圧された電源電圧を安定化するレギュレーターとを含み、ＥＰＤパネルを駆動するための電源電圧を生成する。
【００２９】
例えば、昇圧回路は、発振回路４１から供給されるクロック信号に同期して、キャパシターＣ１〜Ｃ３を用いてチャージポンプ動作を行うことにより、電源電圧（ＶＤＤ−ＶＳＳ）を昇圧して、２倍昇圧電位ＶＤＤ２、３倍昇圧電位ＶＤＤ３、及び、６倍昇圧電位ＶＤＤ６を生成する。キャパシターＣ４〜Ｃ６は、２倍昇圧電位ＶＤＤ２、３倍昇圧電位ＶＤＤ３、及び、６倍昇圧電位ＶＤＤ６をそれぞれ平滑化する。
【００３０】
また、レギュレーターは、参照電位ＶＲＥＦを生成する参照電位生成回路を含み、参照電位ＶＲＥＦに基づいて電源電位ＶＤＤを安定化することにより、ロジック回路用の電源電位ＶＤ１を生成する。キャパシターＣ７及びＣ８は、参照電位ＶＲＥＦ及び電源電位ＶＤ１をそれぞれ平滑化する。
【００３１】
また、レギュレーターは、参照電位ＶＲＥＦに基づいて、２倍昇圧電位ＶＤＤ２、３倍昇圧電位ＶＤＤ３、及び、６倍昇圧電位ＶＤＤ６を安定化することにより、データ線駆動用の電源電位ＶＳＤ、走査線駆動用の電源電位ＶＧＤ、及び、ＥＰＤパネル駆動用の電源電位ＶＥＰＤをそれぞれ生成する。キャパシターＣ９〜Ｃ１１は、電源電位ＶＳＤ、電源電位ＶＧＤ、及び、電源電位ＶＥＰＤをそれぞれ平滑化する。
【００３２】
駆動回路６０は、ＥＰＤパネルを駆動する。例えば、駆動回路６０は、ＶＤＤＰセレクター６１と、走査線ドライバー６２と、データ線ドライバー６３と、ＶＣＯＭドライバー６４と、ＶＥＰドライバー６５とを含んでいる。ＶＤＤＰセレクター６１は、電源電位ＶＳＤと電源電位ＶＥＰＤとの内の一方を選択して、選択された一方を電源電位ＶＤＤＰとしてＥＰＤパネルの画素回路に供給する。
【００３３】
走査線ドライバー６２は、電源電位ＶＧＤ及び電源電位ＶＳＳが供給されて動作し、発振回路４２から供給されるクロック信号に同期して、ＥＰＤパネルのｍ本の走査線をそれぞれ駆動するための選択信号Ｇ１〜Ｇｍを生成する。また、データ線ドライバー６３は、電源電位ＶＳＤ及び電源電位ＶＳＳが供給されて動作し、ＲＡＭ８２に格納されている画像データに基づいて、ＥＰＤパネルのｎ本のデータ線をそれぞれ駆動するための画像信号Ｓ１〜Ｓｎを生成する。なお、ｍ及びｎは、２以上の整数である。
【００３４】
ＶＣＯＭドライバー６４は、電源電位ＶＥＰＤ及び電源電位ＶＳＳが供給されて動作し、ＥＰＤパネルの共通電極に供給される電位ＶＣＯＭを生成する。また、ＶＥＰドライバー６５は、電源電位ＶＥＰＤ及び電源電位ＶＳＳが供給されて動作し、ＥＰＤパネルの２本の制御線に電位ＶＥＰ１及びＶＥＰ２をそれぞれ供給する。
【００３５】
ここで、ＶＤＤＰセレクター６１、ＶＣＯＭドライバー６４、及び、ＶＥＰドライバー６５は、それぞれの出力端子をハイインピーダンス状態にすることができる。また、駆動回路６０は、電源電位ＶＳＳをＥＰＤパネルの画素回路に供給するが、電源電位ＶＳＳの出力端子をハイインピーダンス状態にすることもできる。
【００３６】
制御回路７０は、例えば、コマンド制御回路７１と、ＲＡＭ制御回路７２と、クロック制御回路７３と、電源制御回路７４と、ＥＰＤ制御回路７５とを含んでいる。コマンド制御回路７１は、ホストＣＰＵからインターフェース２０を介してコマンド及び画像データを受信する。コマンド制御回路７１は、例えば、ステートマシンを含み、ホストＣＰＵから送信されるコマンドに従って、ＲＡＭ制御回路７２〜ＥＰＤ制御回路７５を制御する。
【００３７】
ホストＣＰＵから送信されるコマンドには、登録された一連のコマンドを表すマクロコマンドが含まれている。マクロコマンドによって表される一連のコマンドは、ＲＡＭ８１に格納されている。また、コマンド制御回路７１は、ホストＣＰＵから送信される画像データをＲＡＭ８２に格納する。なお、ＲＡＭ８１及び８２は例示的に示すものであり、マクロコマンド及び画像データを何れのＲＡＭに格納しても良いし、１つのＲＡＭに格納しても良い。
【００３８】
コマンド制御回路７１の制御の下で、ＲＡＭ制御回路７２は、ＲＡＭ８１及び８２に対する書き込み及び読み出しを行い、クロック制御回路７３は、発振回路４１及び４２の発振動作を制御する。また、電源制御回路７４は、電源回路５０の昇圧動作及び安定化動作を制御し、ＥＰＤ制御回路７５は、駆動回路６０のＥＰＤパネル駆動又は制御動作を制御する。
【００３９】
コマンド制御回路７１は、表示駆動装置１００内で処理を実行中であるＢＵＳＹ状態において、ステータス信号ＳＴＡＴＵＳを第１の値（例えば、ローレベル）に設定し、処理の実行が完了して次のコマンドの受入れが可能なＲＥＡＤＹ状態において、ステータス信号ＳＴＡＴＵＳを第２の値（例えば、ハイレベル）に設定する。なお、ステータス信号ＳＴＡＴＵＳは、複数のビットを有していても良い。その場合に、コマンド制御回路７１は、ＢＵＳＹ状態においてステータス信号ＳＴＡＴＵＳを第１の値（例えば、「１００」）に設定し、ＲＥＡＤＹ状態において、ステータス信号ＳＴＡＴＵＳを第２の値（例えば、「１１１」）に設定しても良い。
【００４０】
コマンド制御回路７１は、入出力回路１０を介してホストＣＰＵにステータス信号ＳＴＡＴＵＳを送信する。あるいは、ステータス信号ＳＴＡＴＵＳを格納するレジスターを表示駆動装置１００に設けておき、ホストＣＰＵが、表示駆動装置１００にコマンドを送信することにより、ステータス信号ＳＴＡＴＵＳをスレーブ出力データＳＤＯとして読み取るようにしても良い。
【００４１】
＜電気光学装置＞
図２は、図１に示す表示駆動装置を用いた電気光学装置の構成例を示す接続図である。本発明の一実施形態に係る電気光学装置は、ＥＰＤパネルと、図１に示す表示駆動装置１００とを含んでいる。表示駆動装置１００は、ＥＰＤパネルに実装されても良い。
【００４２】
ＥＰＤパネルの表示部１には、複数の画素回路２が、Ｙ軸方向に沿ってｍ行、Ｘ軸方向に沿ってｎ列で、２次元マトリクス状に形成されている。走査線ドライバー６２は、表示部１においてＸ軸方向に沿って延在するｍ本の走査線３（Ｙ１、Ｙ２、…、Ｙｍ）を介して画素回路２に接続されている。
【００４３】
データ線ドライバー６３は、表示部１においてＹ軸方向に沿って延在するｎ本のデータ線４（Ｘ１、Ｘ２、…、Ｘｎ）を介して画素回路２に接続されている。また、表示駆動装置１００は、第１の電源線５、第２の電源線６、第１の制御線７、第２の制御線８、及び、共通電極電源配線９を介して、画素回路２に接続されている。
【００４４】
表示駆動装置１００の駆動回路６０（図１）は、第１の電源線５に電源電位ＶＤＤＰを供給し、第２の電源線６に電源電位ＶＳＳを供給する。また、駆動回路６０は、第１の制御線７に電位ＶＥＰ１を供給し、第２の制御線８に電位ＶＥＰ２を供給し、共通電極電源配線９に電位ＶＣＯＭを供給する。
【００４５】
図３は、図２に示す画素回路の構成例を示す回路図である。画素回路２は、画素電極２１と、共通電極２２と、電気泳動素子２３と、画素駆動用のＮチャネルＭＯＳトランジスター２４と、ＳＲＡＭ（Static Random Access Memory）２５と、スイッチ回路２６とを含んでいる。共通電極２２は、ガラス等の透明基板上に形成され、透光性を有している。また、画素回路２に設けられたトランジスターは、薄膜トランジスターで構成されている。
【００４６】
トランジスター２４のゲートは走査線３に接続され、ソースはデータ線４に接続され、ドレインはＳＲＡＭ２５のノードＮ１に接続されている。トランジスター２４は、走査線ドライバー６２から走査線３を介して供給される選択信号がハイレベルに活性化される期間において、ＳＲＡＭ２５のノードＮ１をデータ線４に接続することにより、データ線ドライバー６３からデータ線４を介して供給される画像信号をＳＲＡＭ２５のノードＮ１に入力する。
【００４７】
ＳＲＡＭ２５は、トランジスター２４によって入力される画像信号を保持すると共に、スイッチ回路２６に画像信号を供給する。例えば、ＳＲＡＭ２５は、ＰチャネルＭＯＳトランジスターＱＰ１及びＱＰ２と、ＮチャネルＭＯＳトランジスターＱＮ１及びＱＮ２とを含んでいる。トランジスターＱＰ１及びＱＰ２のソースは、第１の電源線５に接続され、トランジスターＱＮ１及びＱＮ２のソースは、第２の電源線６に接続されている。
【００４８】
また、トランジスターＱＰ１及びＱＮ１のゲートは、ノードＮ２に接続され、ドレインは、ノードＮ１に接続されている。トランジスターＱＰ２及びＱＮ２のゲートは、ノードＮ１に接続され、ドレインは、ノードＮ２に接続されている。ノードＮ１がハイレベルのときに、ノードＮ２がローレベルとなり、ノードＮ１がローレベルのときに、ノードＮ２がハイレベルとなる。
【００４９】
スイッチ回路２６は、例えば、ＮチャネルＭＯＳトランジスターＱＮ３及びＰチャネルＭＯＳトランジスターＱＰ３で構成される第１のトランスファーゲート２６ａと、ＮチャネルＭＯＳトランジスターＱＮ４及びＰチャネルＭＯＳトランジスターＱＰ４で構成される第２のトランスファーゲート２６ｂとを含んでいる。
【００５０】
第１のトランスファーゲート２６ａは、第１の制御線７と画素電極２１との間に接続されており、第２のトランスファーゲート２６ｂは、第２の制御線８と画素電極２１との間に接続されている。また、トランジスターＱＮ３及びＱＰ４のゲートは、ＳＲＡＭ２５のノードＮ１に接続されており、トランジスターＱＰ３及びＱＮ４のゲートは、ＳＲＡＭ２５のノードＮ２に接続されている。
【００５１】
スイッチ回路２６は、ＳＲＡＭ２５から供給される画像信号に基づいて、電位ＶＥＰ１と電位ＶＥＰ２との内の一方を選択して画素電極２１に供給するセレクターとして機能する。即ち、ＳＲＡＭ２５のノードＮ１がハイレベルでノードＮ２がローレベルであるときに、第１のトランスファーゲート２６ａがオン状態となり、第２のトランスファーゲート２６ｂがオフ状態となって、電位ＶＥＰ１が画素電極２１に供給される。
【００５２】
一方、ＳＲＡＭ２５のノードＮ１がローレベルでノードＮ２がハイレベルであるときに、第１のトランスファーゲート２６ａがオフ状態となり、第２のトランスファーゲート２６ｂがオン状態となって、電位ＶＥＰ２が画素電極２１に供給される。共通電極２２は、共通電極電源配線９に接続されており、電位ＶＣＯＭが供給される。電気泳動素子２３は、画素電極２１と共通電極２２との間の電圧に応じて画像を表示する。
【００５３】
例えば、電気泳動素子２３は、バインダー、界面活性剤、又は、増粘剤等を含む電気泳動層中に分散して配置された複数のマイクロカプセルを含んでいる。マイクロカプセルは、数十μｍ程度の直径を有する透明なメタクリル樹脂等から成るカプセル殻の内部に、電気泳動粒子として黒色粒子及び白色粒子がシリコーンオイル等の粘性の高い透明な分散媒に分散された状態で封入されたものである。例えば、黒色粒子は、カーボンブラック等の黒色顔料を含み、正に帯電している。また、白色粒子は、酸化チタン等の白色顔料を含み、負に帯電している。あるいは、電気泳動素子２３は、基板、基板の一方の面側に設けられてマトリクス状に形成された隔壁、電気泳動粒子と分散媒とを含む電気泳動分散液、及び、対向基板によって構成されていても良い。
【００５４】
画素電極２１と共通電極２２との間に電圧を印加して電気泳動素子２３に電界をかけると、マイクロカプセルに封入されている正帯電の黒色粒子及び負帯電の白色粒子に対して、その帯電の正負に応じた方向に静電気力が作用する。例えば、画素電極２１が共通電極２２よりも高電位である場合には、共通電極２２側に正帯電の黒色粒子が移動するので、その画素は黒表示となる。一方、画素電極２１が共通電極２２よりも低電位である場合には、共通電極２２側に負帯電の白色粒子が移動するので、その画素は白表示となる。
【００５５】
その際に、黒色粒子及び白色粒子は、分散媒中を電気泳動によって移動する。画素電極２１と共通電極２２との間に電圧を印加して表示状態を変化させた後に、画素電極２１と共通電極２２とを同電位にしても、ＥＰＤパネルは、その表示状態を保持するメモリー性（保持性）を有する。
【００５６】
ＥＰＤパネルを駆動するためには、共通電極２２の電位を固定して画素電極２１の電位を変化させても良いし、共通電極２２の電位と画素電極２１の電位との両方を変化させても良い。また、ＥＰＤパネルの表示画像が第１の画像から第２の画像になるまでの間に、画素電極２１と共通電極２２との間に印加される電圧を一連の駆動波形に従って変化させることにより、表示状態を安定化させることが行われる。
【００５７】
＜駆動方式＞
次に、図２及び図３に示す電気光学装置の駆動方式について、図１〜図５を参照しながら説明する。
図４は、図２及び図３に示す電気光学装置の駆動方式の例を説明するための波形図であり、図５は、図４に示す複数の期間における各部の状態を説明するための図である。以下においては、一例として、電源オフ期間Ｔ１、画像信号入力期間Ｔ２、黒色画像表示期間Ｔ３、白色画像表示期間Ｔ４、及び、電源オフ期間Ｔ５の順序（シーケンス）で処理が行われる場合について説明する。
【００５８】
図４には、第１の電源線５に供給される電源電位ＶＤＤＰと、第１の制御線７に供給される電位ＶＥＰ１と、第２の制御線８に供給される電位ＶＥＰ２と、共通電極電源配線９に供給される電位ＶＣＯＭとが示されている。なお、図４及び図５に示す具体的な電圧値（５Ｖ、１５Ｖ、０Ｖ等）は、説明を分かり易くするために例示するものであり、本発明の技術的範囲を限定するものではない。
【００５９】
電源オフ期間Ｔ１において、第１の電源線５、第２の電源線６、第１の制御線７、第２の制御線８、及び、共通電極電源配線９は、いずれも他の回路から電気的に切断されたハイインピーダンス状態（Ｈｉ−Ｚ）となっている。このとき、表示部１には、前の画像が保持されている。
【００６０】
次に、画像信号入力期間Ｔ２において、図１に示す駆動回路６０のＶＤＤＰセレクター６１が、第１の電源線５にハイレベルＨ（５Ｖ）の電源電位ＶＤＤＰを供給する。また、駆動回路６０が、第２の電源線６にローレベルＬ（０Ｖ）の電源電位ＶＳＳを供給する。それにより、画素回路２のＳＲＡＭ２５が起動する。このとき、第１の制御線７、第２の制御線８、及び、共通電極電源配線９は、他の回路から電気的に切断されている（Ｈｉ−Ｚ）。
【００６１】
走査線ドライバー６２は、走査線Ｙ１にハイレベルの選択信号Ｇ１を供給する。それにより、走査線Ｙ１に接続された複数の画素回路２のトランジスター２４がオン状態となって、それらの画素回路２において、ＳＲＡＭ２５のノードＮ１が、データ線Ｘ１、Ｘ２、…、Ｘｎにそれぞれ電気的に接続される。
【００６２】
データ線ドライバー６３は、データ線Ｘ１、Ｘ２、…、Ｘｎを介して、走査線Ｙ１に接続された複数の画素回路２のＳＲＡＭ２５のノードＮ１に画像信号Ｓ１、Ｓ２、…、Ｓｎをそれぞれ入力する。その後、走査線ドライバー６２は、走査線Ｙ１への選択信号Ｇ１の供給を停止して、走査線Ｙ１に接続された複数の画素回路２の選択状態を解除する。
【００６３】
上記の処理を走査線Ｙ２〜Ｙｍについても順次実行することにより、表示部１を構成する全ての画素回路２のＳＲＡＭ２５に画像信号が入力される。それにより、それらのＳＲＡＭ２５に、表示駆動装置１００が受信した画像データに対応するハイレベルＨ（５Ｖ）及びローレベルＬ（０Ｖ）の電位が保持される。
【００６４】
次に、黒色画像表示期間Ｔ３において、ＶＤＤＰセレクター６１が、第１の電源線５を介してＳＲＡＭ２５にハイレベルＨ（１５Ｖ）の電源電位ＶＤＤＰを供給する。それにより、５Ｖの電源電位ＶＤＤＰでＳＲＡＭ２５に入力された画像信号が、より高い１５Ｖの電源電位ＶＤＤＰで保持される。
【００６５】
また、ＶＥＰドライバー６５が、第１の制御線７を介して第１のトランスファーゲート２６ａにハイレベルＨ（１５Ｖ）の電位ＶＥＰ１を供給すると共に、第２の制御線８をハイインピーダンス状態（Ｈｉ−Ｚ）に維持する。さらに、ＶＣＯＭドライバー６４が、共通電極電源配線９を介して共通電極２２に、ハイレベルＨ（１５Ｖ）の期間とローレベルＬ（０Ｖ）の期間とを一定周期で繰り返すパルス状の電位ＶＣＯＭを供給する。
【００６６】
このとき、画像信号がハイレベル（Ｈ）である画素回路２においては、ＳＲＡＭ２５のノードＮ１の電位がハイレベルとなり、ノードＮ２の電位がローレベルとなる。従って、第１のトランスファーゲート２６ａがオン状態となって、画素電極２１が第１の制御線７に電気的に接続される。それにより、画素電極２１に、ハイレベルＨ（１５Ｖ）の電位ＶＥＰ１が供給される。
【００６７】
そして、電位ＶＣＯＭがローレベルＬ（０Ｖ）のときに、画素電極２１と共通電極２２との間に電位差が発生し、電気泳動素子２３の黒色粒子が共通電極２２に引き寄せられ、白色粒子が画素電極２１に引き寄せられる。その結果、この画素には新たな画像の黒が表示される。
【００６８】
一方、画像信号がローレベル（Ｌ）である画素回路２においては、ＳＲＡＭ２５のノードＮ１の電位がローレベルとなり、ノードＮ２の電位がハイレベルとなる。従って、第２のトランスファーゲート２６ｂがオン状態となって、画素電極２１が第２の制御線８に電気的に接続される。第２の制御線８は電気的に切断されているので、画素電極２１には、以前の電位がそのまま保持される。その結果、この画素の電気泳動素子２３は動作せず、表示状態は変化しない。
【００６９】
次に、白色画像表示期間Ｔ４において、ＶＥＰドライバー６５が、第１の制御線７をハイインピーダンス状態（Ｈｉ−Ｚ）にすると共に、第２の制御線８を介して第２のトランスファーゲート２６ｂにローレベルＬ（０Ｖ）の電位ＶＥＰ２を供給する。
【００７０】
このとき、画像信号がローレベル（Ｌ）である画素回路２においては、ＳＲＡＭ２５のノードＮ１の電位がローレベルとなり、ノードＮ２の電位がハイレベルとなる。従って、第２のトランスファーゲート２６ｂがオン状態となって、画素電極２１が第２の制御線８に電気的に接続される。それにより、画素電極２１に、ローレベルＬ（０Ｖ）の電位ＶＥＰ２が入力される。
【００７１】
そして、電位ＶＣＯＭがハイレベルＨ（１５Ｖ）のときに、画素電極２１と共通電極２２の間に電位差が発生し、電気泳動素子２３の白色粒子が共通電極２２に引き寄せられ、黒色粒子が画素電極２１に引き寄せられる。その結果、この画素には新たな画像の白が表示される。
【００７２】
一方、画像信号がハイレベル（Ｈ）である画素回路２においては、ＳＲＡＭ２５のノードＮ１の電位がハイレベルとなり、ノードＮ２の電位がローレベルとなる。従って、第１のトランスファーゲート２６ａがオン状態となって、画素電極２１が第１の制御線７に電気的に接続される。第１の制御線７は電気的に切断されているので、画素電極２１には、以前の電位がそのまま保持される。その結果、この画素の電気泳動素子２３は動作せず、表示状態が変化しない。
【００７３】
このように、画像書き替え期間（黒色画像表示期間Ｔ３及び白色画像表示期間Ｔ４）においては、共通電極２２にハイレベルとローレベルとを繰り返すパルスが供給される。本願においては、このような駆動方式を「コモン振り駆動」と呼ぶ。コモン振り駆動を実行するためには、黒色画像表示期間Ｔ３及び白色画像表示期間Ｔ４の各々において、共通電極２２にハイレベルとローレベルとを繰り返すパルスが１周期以上印加される。コモン振り駆動の周波数及び周期数は、電気泳動素子２３の仕様及び特性に応じて適宜定めることができる。
【００７４】
表示部１に新たな画像が表示されると、処理が電源オフ期間Ｔ５に移行する。電源オフ期間Ｔ５においては、電源オフ期間Ｔ１におけるのと同様に、駆動回路６０が、第１の電源線５、第２の電源線６、第１の制御線７、第２の制御線８、及び、共通電極電源配線９を、ハイインピーダンス状態（Ｈｉ−Ｚ）とする。
【００７５】
このように、電源オフ期間Ｔ５を設けることにより、電力を消費することなく画像を保持することができる。また、画素電極２１に電位ＶＥＰ１及びＶＥＰ２をそれぞれ供給する第１の制御線７及び第２の制御線８を電気的に切断することにより、画素電極２１から配線に至るリーク経路が遮断されるので、リーク電流の低減にも有効である。
【００７６】
さらに、画像信号入力期間Ｔ２、黒色画像表示期間Ｔ３、白色画像表示期間Ｔ４、及び、電源オフ期間Ｔ５を繰り返すことにより、ＥＰＤパネルに画像を順次更新して表示することができる。なお、白色画像表示期間Ｔ３と黒色画像表示期間Ｔ４との順番を入れ替えても良い。
【００７７】
以上においては、画像信号に応じて画素を黒色表示状態と白色表示状態との内の一方に駆動する駆動方式について説明したが、画像書き替え期間において、黒色画像表示期間Ｔ３及び白色画像表示期間Ｔ４に先立って、全ての画素に黒色を表示する全黒表示期間と、全ての画素に白色を表示する全白表示期間とを設けても良い。それにより、ＥＰＤパネルの画素電極と共通電極との間に印加される電圧のＤＣバランスを整えることができる。さらに、現在表示中の画像を表す画像信号と次の画像を表す画像信号とに応じて、適切な画像書き替えを行うようにしても良い。
【００７８】
全黒表示期間においては、例えば、ＶＥＰドライバー６５が、第１の制御線７を介して第１のトランスファーゲート２６ａにハイレベルＨ（１５Ｖ）の電位ＶＥＰ１を供給すると共に、第２の制御線８を介して第２のトランスファーゲート２６ｂにハイレベルＨ（１５Ｖ）の電位ＶＥＰ２を供給する。それにより、全ての画素に黒色が表示される（図１０のステップ１参照）。
【００７９】
また、全白表示期間においては、例えば、ＶＥＰドライバー６５が、第１の制御線７を介して第１のトランスファーゲート２６ａにローレベルＬ（０Ｖ）の電位ＶＥＰ１を供給すると共に、第２の制御線８を介して第２のトランスファーゲート２６ｂにローレベルＬ（０Ｖ）の電位ＶＥＰ２を供給する。それにより、全ての画素に白色が表示される（図１０のステップ２参照）。
【００８０】
＜制御方式＞
図６は、図１に示す表示駆動装置の制御方式の例を説明するための状態遷移図であり、図７は、図１に示す表示駆動装置の制御方式の例を説明するためのタイミングチャートである。図６において、実線の矢印は、コマンドの受信による遷移を表しており、二重線の矢印は、コマンド以外の操作による遷移を表しており、破線の矢印は、自動遷移を表している。また、何れかの状態から「Ｑ」に向けられた矢印は、その状態においてホストＣＰＵから問合せコマンドＣＭＤ（ＱＵＥＲＹ）を受け入れることが可能であることを表している。
【００８１】
図６に示すように、表示駆動装置１００に電源電位ＶＤＤが供給されていないパワーオフ状態ＳＴＳ１においては、表示駆動装置１００が動作を停止している。例えば、表示駆動装置が設けられた電子機器の電源スイッチをオンすることにより、表示駆動装置１００に電源電位ＶＤＤが供給される。
【００８２】
さらに、図７に示すように、リセット回路３０がパワーオンリセット回路からローレベルのリセット信号ＸＲＥＳを入力し、又は、コマンド制御回路７１がホストＣＰＵからインターフェース２０を介してリセットコマンドＣＭＤ（ＳＷＲＥＳＥＴ）を受信することにより、コマンド制御回路７１のステートマシンにおける状態が、パワーオフ状態ＳＴＳ１からリセット状態ＳＴＳ２に遷移する。リセット状態ＳＴＳ２においては、リセット回路３０が、表示駆動装置１００に含まれているロジック回路をリセットして初期化し、コマンド制御回路７１が、ＢＵＳＹ状態を表すローレベルのステータス信号ＳＴＡＴＵＳを出力する。
【００８３】
その後、コマンド制御回路７１のステートマシンにおける状態が、リセット状態ＳＴＳ２からスタンバイ状態ＳＴＳ３に遷移する。スタンバイ状態ＳＴＳ３においては、コマンド制御回路７１が、ＲＥＡＤＹ状態を表すハイレベルのステータス信号ＳＴＡＴＵＳを出力する。
【００８４】
ホストＣＰＵが、発振回路４１を起動させるコマンドＣＭＤ（ＳＥＴ＿ＯＳＣ）を表示駆動装置１００に送信することにより、コマンド制御回路７１のステートマシンにおける状態が、スタンバイ状態ＳＴＳ３からアイドル（待機）状態ＳＴＳ４に遷移する。アイドル状態ＳＴＳ４においては、コマンド制御回路７１が、ＲＥＡＤＹ状態を表すハイレベルのステータス信号ＳＴＡＴＵＳを出力し、コマンド制御回路７１の制御の下で、クロック制御回路７３が、発振回路４１を起動させる。その後、発振回路４１は動作を継続する。
【００８５】
以降において、ホストＣＰＵが各種のコマンドを表示駆動装置１００に送信することにより、コマンド制御回路７１のステートマシンにおける状態がアイドル状態ＳＴＳ４から様々な状態に遷移して、表示駆動装置１００に各種の処理を実行させることができる。処理が実行されている間において、コマンド制御回路７１は、ＢＵＳＹ状態を表すローレベルのステータス信号ＳＴＡＴＵＳを出力する。処理が完了すると、コマンド制御回路７１のステートマシンにおける状態がアイドル状態ＳＴＳ４に戻り、コマンド制御回路７１は、ＲＥＡＤＹ状態を表すハイレベルのステータス信号ＳＴＡＴＵＳを出力する。
【００８６】
例えば、ホストＣＰＵが、チャージポンプを起動又は停止させるコマンドＣＭＤ（ＳＥＴ＿ＣＰ）を表示駆動装置１００に送信することにより、コマンド制御回路７１のステートマシンにおける状態が、チャージポンプ起動／停止状態ＳＴＳ５に遷移する。チャージポンプ起動／停止状態ＳＴＳ５においては、コマンド制御回路７１の制御の下で、電源制御回路７４が、電源回路５０のチャージポンプを起動又は停止させる。
【００８７】
次に、ホストＣＰＵが、レギュレーターを起動又は停止させるコマンドＣＭＤ（ＳＥＴ＿ＲＥＧ）を表示駆動装置１００に送信することにより、コマンド制御回路７１のステートマシンにおける状態が、レギュレーター起動／停止状態ＳＴＳ６に遷移する。レギュレーター起動／停止状態ＳＴＳ６においては、コマンド制御回路７１の制御の下で、電源制御回路７４が、電源回路５０のレギュレーターを起動又は停止させる。
【００８８】
次に、ホストＣＰＵが、画像信号を転送するコマンドＣＭＤ（ＵＰＤ＿ＰＩＸ）を表示駆動装置１００に送信することにより、コマンド制御回路７１のステートマシンにおける状態が、画像信号転送状態ＳＴＳ７に遷移する。画像信号転送状態ＳＴＳ７においては、コマンド制御回路７１の制御の下で、クロック制御回路７３が、発振回路４２を起動させ、ＥＰＤ制御回路７５が、選択信号Ｇ１〜Ｇｍを生成して画像信号Ｓ１〜ＳｎをＥＰＤパネルの画素回路２のＳＲＡＭ２５（図３）に転送するように駆動回路６０を制御する。その後、発振回路４２は動作を停止しても良い。
【００８９】
次に、ホストＣＰＵが、ＥＰＤパネルを駆動するコマンドＣＭＤ（ＵＰＤ＿ＤＩＳＰ）を表示駆動装置１００に送信することにより、コマンド制御回路７１のステートマシンにおける状態が、ＥＰＤ駆動状態ＳＴＳ８に遷移する。ＥＰＤ駆動状態ＳＴＳ８においては、コマンド制御回路７１の制御の下で、ＥＰＤ制御回路７５が、ＥＰＤパネルの画素電極と共通電極との間に新たな画像を表示するための電圧を印加するように駆動回路６０を制御する。
【００９０】
次に、ホストＣＰＵが、ＥＰＤパネルに表示されている画像を保持駆動するコマンドＣＭＤ（ＳＴＡＲＴ＿ＨＯＬＤ）を表示駆動装置１００に送信することにより、コマンド制御回路７１のステートマシンにおける状態が、ＥＰＤ保持駆動状態ＳＴＳ９に遷移する。ＥＰＤ保持駆動状態ＳＴＳ９においては、コマンド制御回路７１の制御の下で、ＥＰＤ制御回路７５が、ＥＰＤパネルの画素電極と共通電極との間に画像を保持するための電圧を印加し続ける（画像を保持するための駆動を続ける）ように駆動回路６０を制御する。
【００９１】
一般に、ＥＰＤパネルの表示画像が第１の画像から第２の画像になるまでの間に、第２の画像とは異なる第３の画像を表示させる必要が生じたような場合には、第３の画像を表示させるための操作をユーザーが行っても、第２の画像を表示するための駆動が完了するまでは、第３の画像を表示するための駆動を開始することができない。このようなＥＰＤパネルの表示動作は、ユーザーにとって応答性が低いと感じられる。
【００９２】
そこで、本実施形態においては、図７に示すように、コマンド制御回路７１が、コマンドを受信して処理を実行している間においても（ＢＵＳＹ状態においても）、ホストＣＰＵからインターフェース２０を介して問合せコマンドＣＭＤ（ＱＵＥＲＹ）を受信すると、実行中の処理に応じて適切な対応処理（ＱＵＥＲＹ処理）を行う。
【００９３】
図６に示すように、状態ＳＴＳ４〜ＳＴＳ９において、ホストＣＰＵが問合せコマンドＣＭＤ（ＱＵＥＲＹ）を表示駆動装置１００に送信すると、コマンド制御回路７１のステートマシンにおける状態が、ＱＵＥＲＹ処理状態ＳＴＳ１０に遷移する。ＱＵＥＲＹ処理状態ＳＴＳ１０において、コマンド制御回路７１は、前の状態に応じた対応処理を行う。
【００９４】
例えば、コマンド制御回路７１は、第１のコマンドに従って第１の処理を実行している間に問合せコマンドＣＭＤ（ＱＵＥＲＹ）を受信した場合に、第１の処理を継続して、第１の処理が完了した後に、次のコマンドの受入れが可能な状態をホストＣＰＵに通知するためにステータス信号ＳＴＡＴＵＳを更新する。
【００９５】
一方、コマンド制御回路７１は、第２のコマンドに従って第２の処理を実行している間に問合せコマンドＣＭＤ（ＱＵＥＲＹ）を受信した場合に、第２の処理を中止すると共に第２の処理に応じた後処理を実行して、後処理が完了した後に、次のコマンドの受入れが可能な状態をホストＣＰＵに通知するためにステータス信号ＳＴＡＴＵＳを更新する。
【００９６】
コマンド制御回路７１が、ステータス信号ＳＴＡＴＵＳをＢＵＳＹ状態からＲＥＡＤＹ状態に更新して、次のコマンドの受入れが可能な状態をホストＣＰＵに通知すると、ホストＣＰＵは、その通知を受領した後に、次のコマンドを送信することができる。このようにして、ホストＣＰＵと表示駆動装置１００との間でハンドシェイク的なやり取りが行われる。従って、ホストＣＰＵは、第１の処理、又は、第２の処理に応じた後処理が確実に実行された後に、次の処理を指示することができる。
【００９７】
第１の処理としては、例えば、チャージポンプ起動／停止状態ＳＴＳ５において電源回路５０のチャージポンプを起動又は停止させる処理と、レギュレーター起動／停止状態ＳＴＳ６において電源回路５０のレギュレーターを起動又は停止させる処理と、画像信号転送状態ＳＴＳ７において画像信号Ｓ１〜ＳｎをＥＰＤパネルの画素回路に転送する処理とが該当する。
【００９８】
例えば、チャージポンプが昇圧動作の途中で昇圧動作を中止すると、昇圧電圧が所望の電圧よりも低い電圧のままになったり、昇圧動作の途中で次のコマンド（ＥＰＤパネルを駆動するコマンド等）の受入れが可能になったりして、回路の誤動作の原因になることがある。そこで、チャージポンプの昇圧動作が完了した後に次のコマンドを受け入れるようにすれば、これを防止することができる。
【００９９】
第２の処理としては、例えば、ＥＰＤ駆動状態ＳＴＳ８においてＥＰＤパネルの画素電極と共通電極との間に新たな画像を表示するための電圧を印加するように駆動回路６０を制御する処理が該当する。それにより、ＥＰＤパネルの表示画像が第１の画像から第２の画像になるまでの間に、第２の画像とは異なる第３の画像を表示させる必要が生じたような場合において、第２の画像を表示するための駆動を中止して、第３の画像を表示するための駆動を開始することができる。
【０１００】
その場合に、第２の処理に応じた後処理としては、例えば、ＥＰＤパネルの画素電極及び共通電極に所定の電位をそれぞれ印加するように駆動回路６０を制御する処理が該当する。それにより、ＥＰＤパネルの駆動を途中で中止しても、画素電極と共通電極との間に印加される電圧のＤＣバランスを整えたり、又は、画素電極と共通電極との間に表示コントラストを低下させないための電圧を印加したりすることができる。
【０１０１】
例えば、駆動回路６０は、ＥＰＤパネルの画素電極及び共通電極に同電位（例えば、０Ｖ）を印加しても良い。画素電極及び共通電極を同電位にすれば、ＥＰＤパネルの駆動を途中で中止しても、画素電極と共通電極との間の電圧がゼロになるので、ＤＣバランスの崩れを抑制してＥＰＤパネルの劣化を防止し、信頼性を向上させることができる。
【０１０２】
あるいは、駆動回路６０は、ＥＰＤパネルの画素電極及び共通電極に異なる電位を印加しても良い。保持性の低い表示材料を用いたＥＰＤパネルの場合には、共通電極の電位に対して、例えば、黒表示の画素電極には高電位を印加し、白表示の画素電極には低電位を印加することにより、ＥＰＤパネルの駆動を中止しても表示コントラストの低下を抑制することができる。
【０１０３】
同様に、応答速度が遅い表示材料を用いたＥＰＤパネルの場合には、ＥＰＤパネルの駆動を途中で中止しても、ＥＰＤパネルの画素電極及び共通電極に上記のような電位を印加することにより、表示応答を継続させて表示コントラストを向上させることができる。それらの場合に、画素電極と共通電極との間に印加する電圧は、通常動作状態における電圧よりも低くしても良い。
【０１０４】
表示駆動装置１００には、ＥＰＤパネルの画素電極及び共通電極に印加される電位、又は、それらの電位を印加する期間等を指定するデータを格納するレジスターが設けられている。ホストＣＰＵは、表示駆動装置１００にコマンドを送信することにより、ＥＰＤパネルの画素電極及び共通電極に印加される電位等を指定するデータをレジスターに設定することが可能である。
【０１０５】
このように、コマンド制御回路７１が、第２のコマンドに従って第２の処理を実行している間に問合せコマンドを受信した場合に、第２の処理を中止して第２の処理に応じた後処理を実行することにより、ＥＰＤパネルの劣化、残像の発生、又は、表示コントラストの低下を抑制することができる。また、コマンド制御回路７１が、後処理が完了した後に、次のコマンドの受入れが可能な状態を通知するためにステータス信号を更新することにより、より早く次のコマンドの受入れが可能な状態に移行することができる。
【０１０６】
さらに、コマンド制御回路７１は、第３のコマンドに従って第３の処理を実行している間に問合せコマンドＣＭＤ（ＱＵＥＲＹ）を受信した場合に、第３の処理を中止して、次のコマンドの受入れが可能な状態をホストＣＰＵに通知するためにステータス信号ＳＴＡＴＵＳを更新しても良い。それにより、コマンド制御回路７１は、迅速に次のコマンドの受入れが可能な状態に移行することができる。
【０１０７】
第３の処理としては、例えば、ＥＰＤ保持駆動状態ＳＴＳ９においてＥＰＤパネルの画素電極と共通電極との間に画像を保持するための電圧を印加し続けるように駆動回路６０を制御する処理が該当する。それにより、画素電極と共通電極との間に画像を保持するための電圧を印加し続けている場合においても、その処理を中止して、次のコマンドに従って新たな画像を表示することができる。
【０１０８】
ＱＵＥＲＹ処理状態ＳＴＳ１０においてＱＵＥＲＹ処理が完了すると、コマンド制御回路７１のステートマシンにおける状態がアイドル状態ＳＴＳ４に遷移して、コマンド制御回路７１が、ステータス信号ＳＴＡＴＵＳをＢＵＳＹ状態からＲＥＡＤＹ状態に更新する。また、コマンド制御回路７１は、何れかの処理を実行している間に問合せコマンドＣＭＤ（ＱＵＥＲＹ）を受信しなかった場合に、実行中の処理が完了した後に、次のコマンドの受入れが可能な状態をホストＣＰＵに通知するためにステータス信号ＳＴＡＴＵＳを更新する。
【０１０９】
従って、ホストＣＰＵは、ＥＰＤパネルを駆動するコマンドを送信した後に、ステータス信号ＳＴＡＴＵＳがＲＥＡＤＹ状態となるまで待ってから次のコマンドを送信するようにすれば、保持性の高い表示材料を用いたＥＰＤパネルに対して、従来と同様の完結型駆動を行ってＤＣバランスを取ることができる。
【０１１０】
次に、マクロコマンドによる動作について説明する。
図８及び図９は、マクロコマンドによる動作例を説明するためのタイミングチャートである。表示駆動装置１００は、マクロコマンドに従って、ＲＡＭ８１に登録された一連のコマンドをまとめて実行するマクロ機能を有している。
【０１１１】
図８に示す例において、マクロコマンドＥＸＥ＿ＭＡＣＲＯは、登録された一連のコマンド１〜コマンド３を表している。コマンド制御回路７１は、ホストＣＰＵからインターフェース２０を介してマクロコマンドＥＸＥ＿ＭＡＣＲＯを受信すると、コマンド１〜コマンド３の処理を順次実行する。
【０１１２】
コマンド制御回路７１は、登録された一連のコマンドを表すマクロコマンドに従って一連の処理を順次実行している間に問合せコマンドＣＭＤ（ＱＵＥＲＹ）を受信した場合に、実行中の処理の内容に応じて、実行中の処理を継続又は中止し、又は、実行中の処理に応じた後処理を実行して（ＱＵＥＲＹ処理）、次の処理を実行することなく、次のコマンドの受入れが可能な状態をホストＣＰＵに通知するためにステータス信号ＳＴＡＴＵＳを更新する。
【０１１３】
図９に示す例において、コマンド制御回路７１は、コマンド２の処理を実行している間に問合せコマンドＣＭＤ（ＱＵＥＲＹ）を受信する。コマンド制御回路７１は、コマンド２の処理が上記の第１の処理に該当する場合に、コマンド２の処理を継続して、コマンド２の処理が完了した後に、コマンド３の処理を実行することなく、ＲＥＡＤＹ状態を表すハイレベルのステータス信号ＳＴＡＴＵＳを出力する。
【０１１４】
一方、コマンド制御回路７１は、コマンド２の処理が上記の第２の処理に該当する場合に、コマンド２の処理を中止すると共にコマンド２の処理に応じた後処理を実行して、後処理が完了した後に、コマンド３の処理を実行することなく、ＲＥＡＤＹ状態を表すハイレベルのステータス信号ＳＴＡＴＵＳを出力する。
【０１１５】
また、コマンド制御回路７１は、コマンド２の処理が上記の第３の処理に該当する場合に、コマンド２の処理を中止して、コマンド３の処理を実行することなく、ＲＥＡＤＹ状態を表すハイレベルのステータス信号ＳＴＡＴＵＳを出力する。
【０１１６】
それにより、コマンド制御回路７１は、マクロコマンドに従って一連の処理を順次実行している間に問合せコマンドＣＭＤ（ＱＵＥＲＹ）を受信した場合でも、より早く次のコマンドの受入れが可能な状態に移行することができる。ホストＣＰＵは、ステータス信号ＳＴＡＴＵＳがＲＥＡＤＹ状態に更新されることにより、次のコマンドを送信することが可能であることを知ることができるので、応答性が向上する。
【０１１７】
なお、マクロコマンドが、チャージポンプを起動又は停止させるコマンドＣＭＤ（ＳＥＴ＿ＣＰ）又はレギュレーターを起動又は停止させるコマンドＣＭＤ（ＳＥＴ＿ＲＥＧ）を含む場合には、マクロコマンドをキャンセルすることにより、電源回路５０の立ち上げが中止される場合がある。
【０１１８】
従って、ホストＣＰＵは、そのようなマクロコマンドをキャンセルした後に、ＥＰＤパネルを駆動するコマンドＣＭＤ（ＵＰＤ＿ＤＩＳＰ）を送信する際に、コマンドＣＭＤ（ＳＥＴ＿ＣＰ）及びコマンドＣＭＤ（ＳＥＴ＿ＲＥＧ）、又は、それらを含むマクロコマンドを送信する必要がある。
【０１１９】
図１０は、ＥＰＤパネルの表示画像の変化例を示す図である。図１０には、図１に示す表示駆動装置１００が、ホストＣＰＵから受信するコマンドに従って、ＥＰＤパネルの表示画像を第１の画像（Ｈ）から第２の画像（Ｉ）に変化させる処理が示されている。割り込みが無ければ、ステップ１において、全ての画素に黒色が表示され（全黒表示画像）、ステップ２において、全ての画素に白色が表示され（全白表示画像）、ステップ３において、第２の画像（Ｉ）が表示される。
【０１２０】
ステップ１において、駆動回路６０は、ＥＰＤパネルの画素電極と共通電極との間に全黒表示画像のための電圧を印加する。その途中で、ホストＣＰＵが割り込みによって問合せコマンドを表示駆動装置１００に送信した場合に、コマンド制御回路７１が問合せコマンドを受信して直ちにステップ１を中止すると、ＥＰＤパネルの駆動が不十分となって、文字「Ｈ」の周囲にグレーの領域を有する画像が表示されてしまう。従って、以降の画像においても第１の画像（Ｈ）の残像が発生するおそれがある。
【０１２１】
また、コマンド制御回路７１が全黒表示期間中に問合せコマンドを受信してステップ１を中止した後に、割り込みコマンドに従ってＥＰＤパネルに全白表示画像及び第３の画像（Ｋ）を順次表示する場合には、全黒表示期間と全白表示期間との長さが異なって時間的なＤＣバランスが崩れてしまい、表示材料の分極や電気分解等の不可逆的な劣化を招くおそれがある。
【０１２２】
そこで、図１０に示すように、コマンド制御回路７１は、ステップ１の途中で問合せコマンドを受信した場合に、ステップ１が完了した後に電圧印加処理を中止することにより、ＥＰＤパネルに全黒表示画像を表示する。また、コマンド制御回路７１は、ステップ２の途中で問合せコマンドを受信した場合においても、ステップ２が完了した後に電圧印加処理を中止することにより、ＥＰＤパネルに全白表示画像を表示する。
【０１２３】
このように、コマンド制御回路７１は、ホストＣＰＵから受信したコマンドに従って処理を実行している間に問合せコマンドを受信してその処理を中止する場合に、その処理に含まれている複数のステップの内で実行中のステップが完了した後に、その処理を中止することが望ましい。
【０１２４】
本実施形態によれば、ＥＰＤパネルの表示画像が第１の画像から第２の画像になるまでの間に、第２の画像とは異なる第３の画像を表示させる必要が生じたような場合に、ＥＰＤパネルの劣化、残像の発生、又は、表示コントラストの低下を抑制しながら、より早く第３の画像を表示させることが可能な電気光学装置を提供することができる。
【０１２５】
＜電子機器＞
次に、本発明の一実施形態に係る電子機器について説明する。
図１１は、本発明の一実施形態に係る電子機器の構成例を示すブロック図である。以下においては、電子機器の一例として、ユーザーの手首等に装着されるリスト機器について説明する。
【０１２６】
図１１に示すように、このリスト機器は、位置情報取得部１１０と、体動センサー部１２０と、身体情報取得部１３０と、操作部１４０と、制御処理部１５０と、記憶部１６０と、表示部１７０と、電源部１８０とを含んでいる。なお、図１１に示す構成要素の一部を省略又は変更しても良いし、あるいは、図１１に示す構成要素に他の構成要素を付加しても良い。
【０１２７】
位置情報取得部１１０は、ＧＰＳアンテナを含み、ＧＰＳアンテナで受信される複数の衛星信号に基づいて測位計算を行うことにより、リスト機器を装着しているユーザーの位置情報を取得して制御処理部１５０に出力する。
【０１２８】
体動センサー部１２０は、例えば、ユーザーの身体の動きによって生じる加速度を検出する加速度センサー、ユーザーの居場所の標高を検出する気圧センサー、又は、ユーザーが移動する方向等を検出する方位センサー等を含んでいる。体動センサー部１２０は、ユーザーの身体の動き、ユーザーの居場所の標高、又は、ユーザーの移動状態等を検出して、ユーザーの体動に関する体動情報を制御処理部１５０に出力する。
【０１２９】
身体情報取得部１３０は、例えば、脈波センサーを含み、ユーザーの脈波等の身体情報を取得して制御処理部１５０に出力する。脈波センサーとしては、例えば、発光部から被検体に照射される光の反射光又は透過光を受光部によって検出する光電式の脈波センサーが用いられる。生体に照射される光の反射量又は吸収量は、血管内の血流量に応じて変化する。
【０１３０】
操作部１４０は、例えば、操作ボタン等を含み、ユーザーが各種の命令や情報を入力するために用いられる。制御処理部１５０は、例えば、ＣＰＵ等のプロセッサーを含み、操作部１４０を用いるユーザーの操作に従って、リスト機器の各部を制御する。制御処理部１５０は、位置情報取得部１１０から出力されるユーザーの位置情報、体動センサー部１２０から出力されるユーザーの体動情報、又は、身体情報取得部１３０から出力されるユーザーの身体情報等を処理し、必要に応じて記憶部１６０に記憶させたり、表示部１７０に表示させたりする。
【０１３１】
記憶部１６０は、例えば、記憶媒体としてＥＥＰＲＯＭ等の不揮発性メモリー、及び、ＳＲＡＭ若しくはＤＲＡＭ等の半導体メモリー又はレジスターを含み、制御処理部１５０のプロセッサーに各種の処理を実行させるためのソフトウェア（プログラム）、及び、ユーザーの位置情報、体動情報、又は、身体情報等に関する各種のデータを記憶する。
【０１３２】
表示部１７０は、本発明の一実施形態に係る電気光学装置を含み、制御処理部１５０から供給される画像データに基づいて、ユーザーの位置情報、体動情報、又は、身体情報等に関する各種の画像をＥＰＤパネルに表示する。電源部１８０は、例えば、電池を含み、リスト機器の各部に電源電圧を供給する。
【０１３３】
本実施形態に係る電子機器としては、リスト機器以外にも、腕時計、電子ブック、電子新聞、電子広告看板、案内表示板、電子カード（クレジットカード、ポイントカード等）、リモコン、携帯電話機、携帯情報端末、及び、電卓等が該当する。
【０１３４】
本実施形態によれば、ＥＰＤパネルの表示画像が第１の画像から第２の画像になるまでの間に、第２の画像とは異なる第３の画像を表示させる必要が生じたような場合に、ＥＰＤパネルの劣化、残像の発生、又は、表示コントラストの低下を抑制しながら、より早く第３の画像を表示させることが可能な電子機器を提供することができる。
【０１３５】
本発明は、以上説明した実施形態に限定されるものではなく、当該技術分野において通常の知識を有する者によって、本発明の技術的思想内で多くの変形が可能である。
【符号の説明】
【０１３６】
１…表示部、２…画素回路、３…走査線、４…データ線、５…第１の電源線、６…第２の電源線、７…第１の制御線、８…第２の制御線、９…共通電極電源配線、１０…入出力回路、２０…インターフェース、２１…画素電極、２２…共通電極、２３…電気泳動素子、２４…ＮチャネルＭＯＳトランジスター、２５…ＳＲＡＭ、２６…スイッチ回路、２６ａ…第１のトランスファーゲート、２６ｂ…第２のトランスファーゲート、３０…リセット回路、４１、４２…発振回路、５０…電源回路、６０…駆動回路、６１…ＶＤＤＰセレクター、６２…走査線ドライバー、６３…データ線ドライバー、６４…ＶＣＯＭドライバー、６５…ＶＥＰドライバー、７０…制御回路、７１…コマンド制御回路、７２…ＲＡＭ制御回路、７３…クロック制御回路、７４…電源制御回路、７５…ＥＰＤ制御回路、８１、８２…ＲＡＭ、１００…表示駆動装置、１１０…位置情報取得部、１２０…体動センサー部、１３０…身体情報取得部、１４０…操作部、１５０…制御処理部、１６０…記憶部、１７０…表示部、１８０…電源部、Ｃ１〜Ｃ１１…キャパシター、ＱＰ１〜ＱＰ４…ＰチャネルＭＯＳトランジスター、ＱＮ１〜ＱＮ４…ＮチャネルＭＯＳトランジスター
【図１】
2018180462.tif 000003
【図２】
2018180462.tif 000004
【図３】
2018180462.tif 000005
【図４】
2018180462.tif 000006
【図５】
2018180462.tif 000007
【図６】
2018180462.tif 000008
【図７】
2018180462.tif 000009
【図８】
2018180462.tif 000010
【図９】
2018180462.tif 000011
【図１０】
2018180462.tif 000012
【図１１】
2018180462.tif 000013